(57)【要約】【課題】小さい消費電力で電界配列粒子を電界配列させることができる光透過調整装置と、光透過調整装置を有する表示装置を提供すること。【解決手段】本発明に係る光透過調整装置２は、少なくとも一方が透明な対向する一対の電極板４Ａ，４Ｂを有し、前記一対の電極板４Ａ，４Ｂの間に、少なくとも、複数の電界配列粒子１６と、透光性を有する非極性溶媒１８と、アクリル樹脂と、を有する【選択図】図１Ｂ
2008107740.tif 000002
【特許請求の範囲】
【請求項１】
少なくとも一方が透明な対向する一対の電極板を有し、
前記一対の電極板の間に、少なくとも、複数の電界配列粒子と、透光性を有する非極性溶媒と、アクリル樹脂と、を有する光透過調整装置。
【請求項２】
前記一対の電極板の間に電圧を印加した状態において、前記複数の電界配列粒子が、電界方向に沿って配列することを特徴とする請求項１に記載の光透過調整装置。
【請求項３】
前記一対の電極板の間に、さらに分散剤を有することを特徴とする請求項１または２に記載の光透過調整装置。
【請求項４】
前記電界配列粒子、前記非極性溶媒、前記アクリル樹脂、および前記分散剤の総重量に対して、前記アクリル樹脂の重量の比率が、０．１〜５．０重量％であることを特徴とする請求項３に記載の光透過調整装置。
【請求項５】
前記一対の電極板の間に電圧を印加し、かつ、前記電圧を自在に変化させることができる電圧印加手段を有することを特徴とする請求項１〜４のいずれかに記載の光透過調整装置。
【請求項６】
少なくとも前記一対の電極板の間に振動を加えることができる振動手段を有することを特徴とする請求項１〜５のいずれかに記載の光透過調整装置。
【請求項７】
前記一対の電極板の間に位置し、透光性皮膜からなるカプセルと、
前記一対の電極板の間において前記カプセル間の隙間に充填される透光性の電極間樹脂と、を有し、
前記カプセルが、少なくとも、前記複数の電界配列粒子と、前記非極性溶媒と、前記アクリル樹脂と、を内包することを特徴とする請求項１〜６のいずれかに記載の光透過調整装置。
【請求項８】
前記電極間樹脂の比誘電率が、前記非極性溶媒の比誘電率より大きいことを特徴とする請求項７に記載の光透過調整装置。
【請求項９】
前記電極板が、可撓性を有するフィルムと、透明電極膜と、を有することを特徴とする請求項１〜８のいずれかに記載の光透過調整装置。
【請求項１０】
前記電極板が、ガラス板と、透明電極膜と、を有することを特徴とする請求項１〜９のいずれかに記載の光透過調整装置。
【請求項１１】
前記電界配列粒子が、ＴｉＯ２  またはＢａＴｉＯ３  を含むことを特徴とする請求項１〜１０のいずれかに記載の光透過調整装置。
【請求項１２】
請求項１〜１１のいずれかに記載の光透過調整装置を有する表示装置。
【発明の詳細な説明】
【技術分野】
【０００１】
本発明は、電圧を印加することにより光透過率が変化する光透過調整装置、および光透過調整装置を有する表示装置に関する。
【背景技術】
【０００２】
例えば特許文献１に示す光透過調整装置は、主として、対向する一対の透明電極板と、透明電極板間に充填された透光性の溶媒と、溶媒中に含まれる電界配列粒子とから構成される。
【０００３】
光透過調整装置において、一対の透明電極板間に電圧を印加しない状態では、電界配列粒子が、透明電極板間に不規則（均一）に分散しているため、透明電極板間は不透明である（透明電極板間の光透過率が小さい）。
【０００４】
また、光透過調整装置において、一対の透明電極板間に電圧を印加すると、誘電分極した複数の電界配列粒子が、不規則（均一）に分散した状態から、電界方向に略直線上に配列し、粒子の鎖状体を形成する（この現象を、以下、電界配列効果と記す）。また、各鎖状体は互いに間隔をおいて形成される。すなわち、透明電極板間において、電界方向に電界配列粒子が存在しない隙間（透光性の溶媒のみが存在する領域）が多数形成される。その結果、電界方向においては、透明電極板間が透明になる（透明電極板間の光透過率が大きくなる）。
【０００５】
上記の原理を基づき、従来の光透過調整装置においては、透明電極板間の光透過率が小さい状態と、大きい状態との２つの状態を繰り返し再現することができる。
【０００６】
このような従来の光透過調整装置においては、装置の薄型化や、装置に可撓性を付与することが困難であった。そこで、電界配列粒子をカプセルで内包することが試みられているが、電界配列粒子を、不規則（均一）に分散した状態から電界配列させるために必要となる印加電圧（透過応答電圧）が高く、光透過調整装置の消費電力が大きくなることが問題となる。また、電界配列効果を維持するためには、透明電極板間に高い透過応答電圧を印加し続ける必要があり、この点においても光透過調整装置の消費電力が大きくなることが問題となる。
【特許文献１】特開平９−２３０８０３号公報
【発明の開示】
【発明が解決しようとする課題】
【０００７】
本発明は、このような実状に鑑みてなされ、その目的は、小さい消費電力で電界配列効果を維持できる光透過調整装置と、光透過調整装置を有する表示装置を提供することである。
【課題を解決するための手段】
【０００８】
本発明者は、鋭意研究の結果、光透過調整装置の透明電極板間に満たされた非極性溶媒にアクリル樹脂を溶解させると、一度透過応答電圧を透明電極板間に印加した後に、透明電極板間に電圧を印加しない場合であっても、電界配列効果を維持できることを発見した。そこで、本発明者は、以下のような、光透過調整装置を発明するに至った。
【０００９】
本願発明に係る光透過調整装置は、
少なくとも一方が透明な対向する一対の電極板を有し、
前記一対の電極板の間に、少なくとも、複数の電界配列粒子と、透光性を有する非極性溶媒と、アクリル樹脂と、を有する。
【００１０】
非極性溶媒にアクリル樹脂を溶解させることによって、非極性溶媒の極性が微妙に変化し、アクリル樹脂を溶解させない場合に比べて、電界配列粒子が電界配列する傾向が強まる。その結果、一度透過応答電圧を透明電極板間に印加した後に、透明電極板間に電圧を印加しなくとも、電界配列効果（電極間の光透過率が大きい状態）を維持できる。よって、電界配列効果を維持するために要する消費電力を減少させることができる。また、非極性溶媒にアクリル樹脂を溶解させることによって、一度透過応答電圧を透明電極板間に印加した後に、透過応答電圧以下の低電圧を透明電極板間に印加し続けることによって、電界配列粒子の凝集、沈降を防止することができ、電界配列効果をより確実に維持できる。
【００１１】
すなわち、本願発明に係る光透過調整装置は、電界配列効果のメモリ機能を、従来より小さい消費電力で実現することができる。
【００１２】
なお、本願発明において、電界配列粒子とは、所定の電界中において、誘電分極し、電界方向に沿って配列する粒子（鎖状体を形成する粒子）を意味する。一方、従来の電気泳動粒子は、電圧印加によって電極板側へ引き寄せられ、互いに凝集する性質を有する。この点において、本願発明に係る電界配列粒子は、従来の電気泳動粒子とは異なる粒子である。
【００１３】
好ましくは、前記一対の電極板の間に、さらに分散剤を有する。
【００１４】
電極板間の非極性溶媒に分散剤を含ませることによって、電極板間に電圧が印加されていない状態では、電界配列粒子が凝集することを防止できる。その結果、電極板間に電圧が印加されていない状態では、電界配列粒子を、電極板間に均一に分散させ、電極板間を不透明にすることができる。
【００１５】
前記電界配列粒子、前記非極性溶媒、前記アクリル樹脂、および前記分散剤の総重量に対して、前記アクリル樹脂の重量の比率が、好ましくは、０．１〜５．０重量％、より好ましくは０．３〜３．０重量％である。
【００１６】
アクリル樹脂の比率を０．１重量％以上とすることによって、電圧印加を止めても、電界配列効果を維持し続けることができる。また、アクリル樹脂の比率を５．０重量％以下とすることによって、透過応答電圧の印加時に、電界配列粒子を充分に電界配列させることができる。
【００１７】
好ましくは、前記一対の電極板の間に電圧を印加し、かつ、前記電圧を自在に変化させることができる電圧印加手段を有する。
【００１８】
電圧印加手段で電極板間に透過応答電圧を印加することによって、電界配列粒子を、不規則（均一）に分散した状態から電界配列させることができる。電界配列粒子を一度電界配列させた後に、電圧印加手段で電極板間印加する電圧をゼロとした場合であっても、電界配列効果を維持することができる。また、電界配列粒子を一度電界配列させた後に、電圧印加手段で電極板間に透過応答電圧以下の低電圧を印加することによって、小さい消費電力で電界配列効果をより確実に維持することができる。
【００１９】
また、電圧印加手段で電極板間に印加する電圧を連続的に変化させることによって、電極板間の光透過率を連続的に変化させることができる。さらには、電極板間に所定の電圧を印加し、電極板間の光透過率を、光透過率の最小値から最大値までの中間にある任意の値に設定した後に、電極板間に電圧を印加しない場合であっても、光透過率を任意の値に維持できる。
【００２０】
好ましくは、少なくとも前記一対の電極板の間に振動を加えることができる振動手段を有する。
【００２１】
電界配列した状態にある電界配列粒子に対して、振動手段で振動を加えることによって、電界配列粒子を、電極板間に不規則（均一）に分散させることができる。
【００２２】
好ましくは、前記一対の電極板の間に位置し、透光性皮膜からなるカプセルと、
前記一対の電極板の間において前記カプセル間の隙間に充填される透光性の電極間樹脂と、を有し、
前記カプセルが、少なくとも、前記電界配列粒子と、前記非極性溶媒と、前記アクリル樹脂と、を内包する。
【００２３】
電界配列粒子、非極性溶媒、アクリル樹脂、および分散剤をカプセルで内包するすることによって、光透過調整装置を薄型化でき、また、光透過調整装置に可撓性を付与することができる。
【００２４】
好ましくは、前記電極間樹脂の比誘電率が、前記非極性溶媒の比誘電率より大きい。
【００２５】
電極間樹脂の比誘電率を、カプセル内の非極性溶媒の比誘電率より大きくすることによって、カプセル内の電界配列粒子を電界配列させるために必要な印加電圧（透過応答電圧）を低くすることができる。
【００２６】
好ましくは、前記電極板が、可撓性を有するフィルムと、透明電極膜と、を有する。
【００２７】
電極板が、可撓性のフィルムを有することによって、電極板および光透過調整装置も可撓性を有する。光透過調整装置が可撓性を有することによって、光透過調整装置を様々な形状に加工しやすくなる。その結果、光透過装置を様々な用途に応用することができる。
【００２８】
なお、前記電極板が、ガラス板と、透明電極膜とを有してもよい。
【００２９】
好ましくは、前記電界配列粒子が、ＴｉＯ２  またはＢａＴｉＯ３  を含む。
【００３０】
本願発明に係る表示装置は、上述した光透過調整装置を有する。
【発明を実施するための最良の形態】
【００３１】
以下、本発明を、図面に示す実施形態に基づき説明する。
図１Ａ、図１Ｂは、本発明の第１実施形態に係る光透過調整装置を示す図であって、光透過調整装置を透明電極板に対して垂直方向に切断した要部断面図、
図２Ａ、図２Ｂは、本発明の第１実施形態に係る光透過調整装置において、電界配列粒子が電界配列している状態を示す概略図、
図３Ａ、図３Ｂ、図３Ｃは、本願発明の第１実施形態に係る光透過調整装置の製造方法を示す一連の概略図、
図４は、本願発明の第１実施形態に係る表示装置を示す図であって、表示装置を透明電極板に対して垂直方向に切断した概略断面図、
図５は、本願発明の第２実施形態に係る光透過調整装置（表示装置）を示す概略図、
図６Ａ、図６Ｂは、本発明の第３実施形態に係る光透過調整装置を示す図であって、光透過調整装置を透明電極板に対して垂直方向に切断した要部断面図である。
【００３２】
（第１実施形態）
光透過調整装置の全体構成
まず、本発明の第１実施形態に係る光透過調整装置の全体構成について説明する。
【００３３】
図１Ａに示すように、光透過調整装置２は、対向する一対の透明電極板（第１電極板４Ａおよび第２電極板４Ｂ）を有する。透明電極板である第１電極板４Ａは、可撓性を有するフィルム１２Ａと、透明電極膜１４Ａとから構成される。同様に、第２電極板４Ｂは、可撓性を有するフィルム１２Ｂと、透明電極膜１４Ｂとから構成される。また、光透過調整装置２は、電圧印加手段（図示省略）を有する。透明電極膜１４Ａ、１４Ｂは、それぞれ電圧印加手段の正極端子および負極端子（図示省略）のいずれかに電気的に接続されており、透明電極膜１４Ａ（第１電極板４Ａ）と透明電極膜１４Ｂ（第２電極板４Ｂ）との間に電圧を可変的に印加することができる。なお、電圧印加手段の電源としては、直流電源および交流電源のいずれを用いてもよい。
【００３４】
第１電極板４Ａと、第２電極板４Ｂとの間には、透光性皮膜で構成されたカプセル６が位置する。カプセル６は、少なくとも、複数の電界配列粒子１６と、透光性を有する非極性溶媒１８と、アクリル樹脂と、を内包している。
【００３５】
本願発明において、アクリル樹脂は非極性溶媒１８に溶解していることが好ましい。アクリル樹脂が非極性溶媒１８に溶解しないと、本願発明に係る作用効果を充分に奏することができない。
【００３６】
好ましくは、カプセル６は、第１電極板４Ａおよび第２電極板４Ｂに挟まれることによって、扁平に潰れている。
【００３７】
カプセル６が扁平に潰れていることによって、透明電極板（第１電極板４Ａおよび第２電極板４Ｂ）に略垂直に入射する光が、カプセル６が球状である場合に比べて、カプセル表面によって乱反射され難くなる。その結果、透過応答電圧の印加時において、透明電極板間の光透過率を向上させることができる。
【００３８】
また、カプセル６が扁平に潰れていることによって、カプセル内部における電界を均一化し、透過応答バラツキを小さくすることができる。換言すれば、カプセル６内部の全領域において、均一に電界配列粒子１６を電界配列することができる。
【００３９】
さらに、カプセル６が扁平に潰れることによって、カプセル６が球状の場合に比べて、電界配列粒子１６がカプセル下部へ沈降することがなく、電界配列粒子１６が凝集することを防止できる。よって、光透過調整装置の光透過調整性能が経時劣化することを防止できる。一般的に、カプセル６の直径が大きくなるほど、電界配列粒子がカプセル下部へ沈降し易くなるが、カプセル６を扁平に潰すことによって、これを防止することができる。
【００４０】
透明電極板間において、カプセル間の隙間には、透光性の電極間樹脂８が充填されている。また、透明電極板間には、スペーサー１０が設置してある。
【００４１】
本実施形態においては、電極間樹脂８の比誘電率が、非極性溶媒１８の比誘電率より大きい。
【００４２】
電極間樹脂８の比誘電率を、カプセル６内の非極性溶媒１８の比誘電率より大きくすることによって、カプセル６内の電界配列粒子１６を電界配列させるために必要な透過応答電圧（第１電極板４Ａと第２電極板４Ｂとの間の電圧）を低くすることができる。
【００４３】
電極間樹脂８の比誘電率としては、好ましくは、１０〜５０程度である。電極間樹脂８としては、透光性を有し、また、透明電極膜１４Ａ、１４Ｂ、カプセル６の透光性皮膜、およびスペーサー１０を侵食せず、かつ、上記範囲内の比誘電率を有するもの（非極性溶媒１８より比誘電率の大きいもの）を用いる。具体的な電極間樹脂８としては、好ましくは、分子内にシアノエチル基を有する樹脂（高分子化合物）を用いる。より具体的には、信越化学工業社製のシアノレジン等を用いることが好ましい。
【００４４】
非極性溶媒１８の比誘電率としては、好ましくは、１．０〜４．０程度である。非極性溶媒１８としては、カプセル６の透光性皮膜を侵食せず、上記範囲内の比誘電率を有するもの（電極間樹脂８より比誘電率の小さいもの）を用いる。具体的な非極性溶媒１８としては、好ましくは、トルエンまたはベンゼンを含むものを用いる。より好ましくは、非極性溶媒１８がトルエンを主成分とする。
【００４５】
なお、好ましくは、非極性溶媒１８は、トルエンまたはベンゼンと共に、ジイソプロピルナフタレンを含む。非極性溶媒１８にジイソプロピルナフタレンを含有させることによって、カプセル化が容易となる。
【００４６】
電界配列粒子１６の材質としては、電界配列効果を有するものであれば特に限定されないが、好ましくは、電界配列粒子１６が、ＴｉＯ２またはＢａＴｉＯ３を含む。より好ましくは、電界配列粒子１６がＴｉＯ２ から構成されている。ＴｉＯ２またはＢａＴｉＯ３ を含む粒子は、透明電極板間に電圧を印加することによって、誘電分極し、電界配列することができる。
【００４７】
電界配列粒子１６の粒径としては、特に限定されないが、好ましくは、０．００１〜０．１μｍ程度である。
【００４８】
フィルム１２Ａ、１２Ｂとしては、可撓性を有するものであれば特に限定されないが、好ましくは、ＰＥＴ（ポリエチレンテレフタレート）、ＰＥＳ（ポリエーテルサルホン）、ＰＡＲ（ポリアリレート）等を用いる。ＰＥＴのように、フィルム１２Ａ、１２Ｂとして、可撓性を有する素材を用いることによって、透明電極板および光透過調整装置を様々な形状に加工しやすくなる。その結果、光透過装置を様々な用途に応用することができる。
【００４９】
フィルム１２Ａあるいは１２Ｂの厚さＴ１は、特に限定されないが、好ましくは、１０〜１０００μｍである。
【００５０】
透明電極膜１４Ａ、１４Ｂとしては、特に限定されないが、通常、ＩＴＯ膜（酸化インジウムスズ膜）を用いる。
【００５１】
透明電極膜１４Ａ、１４Ｂの厚さＴ２は、特に限定されないが、好ましくは、０．１〜１０ｎｍである。
【００５２】
カプセル６を構成する透明性皮膜としては、電極間樹脂８および非極性溶媒１８に不溶性のものであり、透光性を有するものであれば、特に限定されないが、好ましくは、透明性を有するゼラチンと弾性を有するアラビアゴムとの混合物、あるいはゲル化させたシアノレジンを用いる。
【００５３】
好ましくは、カプセル６が、電界配列粒子１６、非極性溶媒１８、アクリル樹脂と共に分散剤を内包する。
【００５４】
カプセル６に分散剤を内包させることによって、透明電極板間に電圧が印加されていない状態では、電界配列粒子１６が凝集することを防止できる。その結果、透明電極板間に電圧が印加されていない状態では、電界配列粒子１６を、透明電極板間に均一に分散させ、透明電極板間を不透明にすることができる。
【００５５】
分散剤としては、特に限定されないが、好ましくは、アニオン系分散剤、界面活性剤等を用いる。
【００５６】
カプセル６が界面活性剤を内包することによって、第１電極板４Ａと第２電極板４Ｂとの間に電圧を印加した際、界面活性剤（の長軸方向）を中心とした円周部２６(図２Ａ、２Ｂ参照)に沿って、電界集中が起こる。この電界集中が起こった領域において、電界配列粒子１６を電界配列させることができる。
【００５７】
好ましくは、複数の電界配列粒子１６、非極性溶媒１８、アクリル樹脂、および分散剤の総重量に対して、アクリル樹脂の重量の比率が、好ましくは、０．１〜５．０重量％、より好ましくは、０．３〜３．０重量％である。
【００５８】
アクリル樹脂の比率を０．１重量％以上とすることによって、電極板間の電圧印加を止めても、電界配列効果を維持し続けることができる。また、アクリル樹脂の比率を５．０重量％以下とすることによって、透過応答電圧の印加時に、電界配列粒子１６を充分に電界配列させることができる。
【００５９】
扁平に潰れたカプセル６の幅Ｗ１は、特に限定されないが、好ましくは、５０〜３０００μｍ程度である。カプセル６の幅Ｗ１をこの範囲内とすることによって、カプセル６を扁平に潰すことによる作用効果を充分に奏することが可能となる。
【００６０】
また、カプセル６とスペーサー１０との距離Ｗ２は、特に限定されないが、好ましくは、０．１〜１０μｍである。距離Ｗ２が大き過ぎると、スペーサー１０によって、透明電極板間におけるカプセル６の位置決めを充分に行えない恐れがある。そこで、距離Ｗ２をこの範囲内とすることによって、この不具合を防止することができる。
【００６１】
スペーサー１０の材質としては、透明であり、電極間樹脂８に対して不溶性のものであれば特に限定されないが、好ましくは、ＰＥＴ（ポリエチレンテレフタレート）を用いる。
【００６２】
スペーサー１０として、ＰＥＴを用いることによって、光透過調整装置全体に可撓性をもたせることができる。その結果、光透過調整装置を様々な形状に加工し易くなる。
【００６３】
スペーサー１０の厚さＴ３は、特に限定されないが、好ましくは、３０〜３００μｍである。スペーサー１０の厚さＴ３をこの範囲内とすることによって、カプセル６を、透明電極膜１４Ａおよび１４Ｂに完全に接触させ、カプセル６を扁平に潰すことができる。
【００６４】
なお、スペーサー１０の厚さＴ３は、透明電極板間の距離、電極間樹脂８の厚さ、および扁平に潰れたカプセル６の厚さに等しい。よって、スペーサー１０の厚さＴ３を調整することによって、透明電極板間の距離、電極間樹脂８の厚さ、および扁平に潰れたカプセル６の厚さを容易に、かつ、自在に調整することができる。
【００６５】
スペーサー１０の幅Ｗ３は、特に限定されなず、カプセル６の大きさ、光透過調整装置全体の寸法等に合わせて、適宜設定すればよい。
【００６６】
電界配列効果
以下では、図１Ａおよび図１Ｂを用いて、光透過調整装置における電界配列効果について説明する。
【００６７】
図１Ａに示す光透過調整装置２においては、第１電極板４Ａおよび第２電極板４Ｂの間に一度も電圧が印加されてないため、電界配列粒子１６が、第１電極板４Ａおよび第２電極板４Ｂの間において均一に分散する。その結果、透明電極板間が不透明な状態にある。
【００６８】
一方、図１Ｂに示す光透過調整装置２においては、第１電極板４Ａおよび第２電極板４Ｂの間に透過応答電圧を印加しているため、複数の電界配列粒子１６が、電界方向Ｅに沿って、略直線上に配列し、鎖状体２０を形成する。すなわち、電界配列粒子１６が電界配列する。また、各鎖状体２０は互いに間隔をおいて形成される。すなわち、透明電極板間において、電界方向Ｅに電界配列粒子１６が存在しない隙間２２が多数形成される。その結果、電界方向Ｅにおいては、透明電極板間が透明になる。
【００６９】
次に、図２Ａ、図２Ｂを用いて、電界配列粒子１６の電界配列と、第１電極板４Ａと第２電極板４Ｂとの間の印加電圧（透過応答電圧）の関係について説明する。
【００７０】
図２Ａでは、図２Ｂの場合に比べて、印加電圧が低い。すなわち、第１電極板４Ａと第２電極板４Ｂとの間における電界Ｅが小さい。この場合において、電界配列粒子１６は電界配列するが、印加電圧が高い場合（図２Ｂの場合）に比べて、各電界配列粒子１６の分極率が小さく、電界配列粒子１６の配列が不規則となる。また、電界配列によって形成される鎖状体２０ａと界面活性剤の中心部２４との距離ｄが、印加電圧が高い場合に比べて小さい。また、余分な電界配列粒子１６が、界面活性剤の中心部２４と鎖状体２０ａとの間に存在してしまう。
【００７１】
以上のことから、第１電極板４Ａと第２電極板４Ｂとの間における電界Ｅが小さい場合（図２Ａ）、透明電極板間の光透過率は小さくなる。
【００７２】
一方、  図２Ｂでは、図２Ａの場合に比べて、印加電圧が高い。すなわち、第１電極板４Ａと第２電極板４Ｂとの間における電界Ｅが大きい。この場合においても、電界配列粒子１６は電界配列するが、印加電圧が低い場合（図２Ａの場合）に比べて、電界配列粒子１６の分極率が高く、電界配列粒子１６の配列が規則的である。すなわち、電界配列粒子１６は略直線状に配列した鎖状体２０ｂを形成する。また、電界配列によって形成される鎖状体２０ｂと界面活性剤の中心部２４との距離ｄが、印加電圧が低い場合に比べて大きい。さらに、ほとんどの電界配列粒子１６が電界配列するため、界面活性剤中心部２４と鎖状体２０ｂとの間に存在する余分な電界配列粒子１６の数が少なくなる。
【００７３】
以上のことから、第１電極板４Ａと第２電極板４Ｂとの間における電界Ｅが大きい場合（図２Ｂ）、透明電極板間の光透過率は大きくなる。なお、図２Ｂに示すように、透明電極板間の光透過率が略最大となる場合の印加電圧（透過応答電圧）の高さは、特に限定されないが、好ましくは、２５〜２５０Ｖ（電界に換算すると０．２５〜２．５ＫＶ／ｍｍ）程度である。
【００７４】
上述のように、本実施形態においては、第１電極板４Ａと第２電極板４Ｂとの間における印加電圧（電界Ｅ）を連続的に調整することによって、透明電極板間の光透過率を自在に、かつ連続的に制御することができる。換言すれば、印加電圧（電界Ｅ）を調整することによって、図１Ａに示す状態（光透過率が小さい状態）、図２Ａに示す状態（光透過率が中程度の状態）、および図１Ｂ、２Ｂに示す状態（光透過率が大きい状態）を連続的に再現することができる。
【００７５】
電界配列効果のメモリ機能
次に、図１Ａ、図１Ｂを用いて、光透過調整装置２における電界配列効果のメモリ機能について説明する。
【００７６】
本実施形態に係る光透過調整装置２においては、カプセル６に内包された非極性溶媒１８にアクリル樹脂を溶解させることによって、非極性溶媒１８の極性が微妙に変化し、アクリル樹脂を溶解させない場合に比べて、電界配列粒子１６が電界配列する傾向が強まる。その結果、一度透過応答電圧を透明電極板間に印加した後に、透明電極板間に電圧を印加しなくとも、図１Ｂに示すように、電界配列粒子１６が電界配列した状態（電界配列効果）を維持できる。よって、電界配列効果（電極間の光透過率が大きい状態）を維持するために要する消費電力を減少させることができる。
【００７７】
また、非極性溶媒１８にアクリル樹脂を溶解させることによって、一度透過応答電圧を透明電極板間に印加した後に、透過応答電圧以下の低電圧を透明電極板間に印加し続けることによって、電界配列粒子１６の凝集、沈降を防止することができ、電界配列効果（図１Ｂ）を、より確実に維持できる。
【００７８】
すなわち、本実施形態に係る光透過調整装置２は、電界配列効果のメモリ機能を、従来より小さい消費電力で実現することができる。
【００７９】
一度透過応答電圧を透明電極板間に印加した後に、電界配列粒子１６の凝集、沈降を防止し、メモリ機能を維持するために要する待機電圧（メモリ機能維持電圧）の高さは、特に限定されないが、好ましくは、０〜３０Ｖ（電界に換算すると０〜０．３ＫＶ／ｍｍ）程度である。
【００８０】
なお、本実施形態においては、上述のように、第１電極板４Ａと第２電極板４Ｂとの間における印加電圧（電界Ｅ）を連続的に調整することによって、透明電極板間の光透過率を自在に、かつ連続的に制御することができる。また、本実施形態においては、任意の電圧Ｅｍを透明電極板間に印加し、光透過率を、最大値と最小値との間である中程度の値（図２Ａに対応する光透過率）に設定した後、透明電極板間に電圧を印加しなくとも、光透過率が中程度である状態を維持できる。また、電圧Ｅｍを透明電極板間に印加し、光透過率を中程度の値に設定した後、Ｅｍ以下の低電圧を透明電極板間に印加し続けることによって、電界配列粒子１６の凝集、沈降を防止することができ、光透過率が中程度である状態を、より確実に維持できる。
【００８１】
好ましくは、光透過調整装置２が、少なくとも一対の透明電極板（第１電極板４Ａおよび第２電極板４Ｂ）の間に振動を加えることができる振動手段（図示省略）を有する。
【００８２】
電界配列した状態にある電界配列粒子１６（図１Ｂ）に対して、振動手段で振動を加えることによって、電界配列粒子１６を、図１Ａに示すように電極板間に不規則（均一）に分散させることができる。
【００８３】
具体的な振動手段としては、特に限定されないが、例えば、圧電素子等が用いられる。
【００８４】
すなわち、本実施形態に係る光透過調整装置２においては、振動手段によって、電界配列効果のメモリ機能を、自在に解除することができる。
【００８５】
振動手段によってメモリ機能を解除する際に、電極板間に常に所定の電圧が印加され続けている場合は、一時的に不規則（均一）に分散した電界配列粒子１６（図１Ａ）を、再度電界配列させることができる（図１Ｂ）。また、電極板間に電圧が印加されていない場合は、メモリ機能は解除されたままの状態（図１Ａ）である。
【００８６】
光透過調整装置２の製造方法
次に、図１Ａ、１Ｂに示す光透過調整装置２の製造方法を説明する。なお、光透過調整装置２の製造方法は、以下に示す方法に限定されない。
【００８７】
なお、上述した光透過調整装置２の概略断面図１Ａ、１Ｂにおいては、スペーサー１０で囲まれた領域内に２つのカプセル６が配置されていたが、スペーサー１０で囲まれた領域内に設置されるカプセル６の数量は特に限定されない。以下では、スペーサー１０で囲まれた領域内に９つのカプセル６が配置された場合（光透過調整装置２の断面においては３つのカプセル６が配置された場合）における光透過調整装置２の製造方法を説明する。
【００８８】
カプセル６の作製
まず、所定量の電界配列粒子１６、非極性溶媒１８、アクリル樹脂、および分散剤を秤量する。
【００８９】
次に、これらを混合、攪拌し、カプセル内包物（エマルジョン状態の電界配列粒子１６、非極性溶媒１８、アクリル樹脂、および分散剤）を得る。
【００９０】
次に、カプセル内包物に対して界面活性剤を所定量添加する。
【００９１】
次に、電解配列粒子１６同士が凝集することを防止するために、電界配列粒子１６のゼータ電位を調整する。
【００９２】
次に、透光性皮膜でカプセル内包物を内包して、図３Ａに示すカプセル６を作製する。カプセル６の作製法としては、特に限定されず、例えば、滴下法（液中硬化法）、界面重合法、ｉｎ  ｓｉｔｕ重合法等の界面反応法、あるいは、相分離法、液中乾燥法、融解分散冷却法、および噴霧乾燥法等の界面沈積法等が挙げられる。
【００９３】
得られたカプセル６（扁平に潰れる前の球状のカプセル６）の直径は、特に限定されないが、好ましくは、好ましくは、５００〜３０００μｍであることが好ましい（図３Ａ）。
【００９４】
カプセル６の直径を上記範囲内とすることによって、後に、カプセル６を扁平に潰し、カプセル６全体において電界を均一にすることが可能となる。カプセル６の直径が小さいと、複数のカプセル６を透明電極板間に挟んだ際に、カプセル同士が重なり合って凝集し、透明電極板間の光透過率が低下する恐れがある。そこで、カプセル６の直径を上記範囲内とすることによって、この不具合を防止できる。
【００９５】
また、カプセル６の透光性皮膜の厚さは、特に限定されないが、好ましくは、０．５〜５．０μｍである。透光性皮膜の厚さが小さ過ぎると、カプセル６の強度が弱くなり、後に、カプセル６を透明電極板間に挟んで扁平に潰す際に、カプセル６が破損する恐れがある。または、透光性皮膜のの厚さが大き過ぎると、透明電極板間における電界が小さくなり、電界配列粒子１６の応答性が悪くなる恐れがある。そこで、透光性皮膜の厚さを上記範囲内とすることによって、これらの不具合を防止することができる。
【００９６】
透明電極板の貼り合わせ
次に、図３Ａに示すように、第２電極板４Ｂを準備する。この第２電極板４Ｂが有する透明電極膜側の表面に接着樹脂層６８を形成する。
【００９７】
接着樹脂層６８のと材質しては、好ましくは、分子内にシアノエチル基を有する樹脂（高分子化合物）を用いる。具体的には、信越化学工業社製のシアノレジン等を用いることが好ましい。接着樹脂層６８は、完成後の光透過調整装置２において電極間樹脂８を形成する。
【００９８】
接着樹脂層６８が形成された第２電極板４Ｂの表面は、スペーサー１０によって均等に区画される。このスペーサー１０に囲まれた各区画に、複数のカプセル６を等間隔で設置する。
【００９９】
スペーサー１０を設置することによって、透明電極板間の間隔を均一にし易くなる。その結果、量産設計もし易くなる。また、透明電極板間にスペーサー１０を介在させることによって、透明電極板間に位置するカプセル６を、均一な大きさに潰すことができる。さらには、透明電極板間におけるカプセル６を、スペーサー１０に囲まれた所定の領域内に閉じ込め、カプセル６の位置を固定させることができる。その結果、透明電極板間の局所にカプセル６が集中することがなく、それらが重なり合うような不具合を防止することができる。
【０１００】
扁平に潰される前のカプセル間の間隔Ｗ４（図３Ａ）は、カプセル６の直径、スペーサー１０の厚さ、光透過調整装置２の寸法等に合わせて、適宜設定すればよく、特に限定されない。
【０１０１】
また、カプセル６とスペーサー１０との距離Ｗ５は、カプセル６の直径、スペーサー１０の厚さ、光透過調整装置２の寸法等に合わせて、適宜設定すればよく、特に限定されない。
【０１０２】
次に、第１電極板４Ａを準備する。この第１電極板４Ａが有する透明電極膜側の表面に接着樹脂層６８を形成する。
【０１０３】
次に、プレス板７０および７２を用いて、第１電極板４Ａの表面のうち接着樹脂層６８が形成された表面と、第２電極板４Ｂの表面のうちカプセル６が位置する表面とを、圧着して貼り合わせる。その結果、図３Ｂに示すように、カプセル６は、第１電極板４Ａおよび第２電極板４Ｂに挟まれて扁平に潰れる。また、圧着前の状態（図３Ａ）における接着樹脂層６８は、圧着後（図３Ｂ）において電極間樹脂８を形成する。
【０１０４】
なお、圧着時の加圧力は、カプセル６の強度に合わせて、適宜設定すればよい。
【０１０５】
次に、加圧貼り合わせ後の第１電極板４Ａ、第２電極板４Ｂ、カプセル６、電極間樹脂８、およびスペーサー１０を適度に乾燥させることによって、図３Ｃ（図１Ａ、１Ｂ）に示す光透過調整装置２が完成する。
【０１０６】
図３Ｃに示すように、各カプセル６は扁平に潰れ、透明電極板間において、第１電極板４Ａおよび第２電極板４Ｂの面に接するように略平面状に変形している。また、各カプセル６は、スペーサー１０で囲まれた内部領域に収まり、互いに重なり合うことなく、透明電極板間に均等に配置されている。
【０１０７】
表示装置
本実施形態に係る光透過調整装置２を用いて、図４に示すように表示装置１を形成することができる。図４においては、光透過調整装置２の第２電極板４Ｂの表面のうち、透明電極膜１４Ｂと接する面とは反対側の表面に、被表示物８０が配置されている。被表示物８０の表面のうち第２電極板４Ｂに接する表面上には、表示の対象となる文字、画像等が表示されている。
【０１０８】
図４に示す状態においては、光透過調整装置２の透明電極板間（第１電極板４Ａと第２電極板４Ｂとの間）に電圧が印加されていない。よって、第１電極板４Ａの側から透明電極板間へ入射した光は、透明電極板間を透過し難く、被表示物８０へ届き難い。また、被表示物８０によって反射された光も、第１電極板４Ａ側へ透過し難い。つまり、図４の状態においては、第１電極板４Ａの側から被表示物８０は見え難い。
【０１０９】
ここで、図４の透明電極板間に電圧を印加すると、電界配列効果が生じ、第１電極板４Ａの側から透明電極板間へ入射した光は、透明電極板間を透過し、被表示物８０へ到る。そして、被表示物８０によって反射された光は、透明電極板間を透過し、第１電極板４Ａに到る。つまり、図４の透明電極板間に電圧を印加した状態においては、第１電極板４Ａ側から被表示物８０を見ることができる。
【０１１０】
このように、光透過調整装置２を有する表示装置１においては、透明電極板間への印加電圧を調整することにより、被表示物８が見える状態および見えない状態、あるいはその中間状態を繰り返し、再現することができる。
【０１１１】
本実施形態に係る光透過調整装置２においては、第１電極板４Ａと第２電極板４Ｂとの間において、カプセル６に内包された非極性溶媒１８にアクリル樹脂を溶解させることによって、非極性溶媒１８の極性が微妙に変化し、アクリル樹脂を溶解させない場合に比べて、電界配列粒子１６が電界配列する傾向が強まる。その結果、一度透過応答電圧を透明電極板間に印加した後に、透明電極板間に電圧を印加しなくとも、電界配列効果（図１Ｂ）を維持できる。よって、電界配列効果（電極間の光透過率が大きい状態）を維持するために要する消費電力を減少させることができる。
【０１１２】
また、非極性溶媒１８にアクリル樹脂を溶解させることによって、一度透過応答電圧を透明電極板間に印加した後に、透過応答電圧以下の低電圧を透明電極板間に印加し続けることによって、電界配列粒子１６の凝集、沈降を防止することができ、電界配列効果（図１Ｂ）を、より確実に維持できる。
【０１１３】
本実施形態においては、カプセル６内の溶媒として非極性溶媒１８を用い、かつ、電極間樹脂８の比誘電率を、カプセル内の非極性溶媒１８の比誘電率より大きくすることによって、カプセル６内の電界配列粒子１６を電界配列させるために必要な印加電圧を低くすることができる。
【０１１４】
本実施形態においては、カプセル６が、一対の透明電極板に挟まれて、扁平に潰れることによって、透明電極板の面方向において、カプセル６が球状から略平面状に変形する。その結果、透明電極板に略垂直に入射する光は、カプセル６が球状である場合に比べて、カプセル表面によって乱反射され難くなる。換言すれば、透明電極板に略垂直に入射する光は、カプセル６が球状である場合に比べて、透明電極板間を透過し易くなる。その結果、透過応答電圧の印加時において、透明電極板間の光透過率を向上させることができる。
【０１１５】
また、カプセル６が、扁平に潰れることによって、カプセル内部における電界を均一化し、透過応答バラツキを小さくすることができる。
【０１１６】
さらに、カプセル６が、一対の透明電極板に挟まれて、扁平に潰れることによって、カプセル６が球状の場合に比べて、電界配列粒子１６がカプセル下部へ沈降することを防止でき、かつ、カプセル６が凝集することを防止できる。
【０１１７】
（第２実施形態）
次に、本発明の第２実施形態を説明する。なお、以下では、第１実施形態と第２実施形態とに共通する事項については説明を省略し、両実施形態の相違点についてのみ説明する。
【０１１８】
図５は、本実施形態に係る光透過調整装置２ａを、透明電極板に対して垂直な方向から見た概略図である。図の簡略化のため、図５では、各カプセル６（各画素）のみを表記している。図５に示す透過調整装置２ａにおいては、電界配列粒子の色の種類が複数であり、複数のカプセル６のうちの特定のカプセル６ａ内に内包された電界配列粒子の色が、他のカプセル６ｂ内に内包された電界配列粒子の色と異っていてもよい。例えば、光透過調整装置２ａは、少なくとも、着色された電界配列粒子を内包するカプセル６ａ（画素６ａ）と、着色されていない電界配列粒子を内包するカプセル６ｂ（画素６ｂ）との２種類の画素を有する。このような光透過調整装置２ａにおいては、各カプセル６が各々１つの画素として機能するため、少なくとも透明電極板間に電圧を印加していない状態において、透明電極板間に、着色された画像「Ｔ」を表示することができる。また、透明電極板間に電圧を印加した状態においては、透明電極板間に表示されていた画像「Ｔ」を消すことが可能である。さらには、印加電圧を連続的に変化させることによって、表示される画像「Ｔ」の濃淡を連続的に制御することができる。このように、光透過調整装置２ａ自体が、文字、画像等の表示装置としても機能することができる。この場合も上述した実施形態と同様の作用効果を奏することができる。
【０１１９】
なお、図５において、カプセル６の集合体（例えば、格子状のスペーサーで囲まれた各区画内に配置された複数の同色のカプセル）を１つの画素単位としてもよい。また、図５においては、着色された画素６ａと、着色されていない画素６ｂのうち、少なくとも一方だけに光透過調整機能があれば、透明電極板間に画像を表示することができる。
【０１２０】
（第３実施形態）
次に、本発明の第３実施形態を説明する。なお、以下では、第１実施形態と第３実施形態とに共通する事項については説明を省略し、両実施形態の相違点についてのみ説明する。
【０１２１】
図６Ａに示すように、本実施形態に係る光透過調整装置２ｃにおいては、複数の電界配列粒子１６、非極性溶媒１８、非極性溶媒１８に溶解したアクリル樹脂、および分散剤が、カプセルに内包されることなく、一対の透明電極板４Ａ，４Ｂの間に直接充填され、シール部材１１によって密封されている。この場合においても、上述した実施形態と同様の作用効果を奏することができる。
【０１２２】
すなわち、透明電極板間に充填された非極性溶媒１８にアクリル樹脂を溶解させることによって、非極性溶媒１８の極性が微妙に変化し、アクリル樹脂を溶解させない場合に比べて、電界配列粒子１６が電界配列する傾向が強まる。その結果、一度透過応答電圧を透明電極板間に印加した後に、透明電極板間に電圧を印加しなくとも、電界配列効果（図６Ｂ）を維持できる。よって、電界配列効果（電極間の光透過率が大きい状態）を維持するために要する消費電力を減少させることができる。
【０１２３】
また、非極性溶媒１８にアクリル樹脂を溶解させることによって、一度透過応答電圧を透明電極板間に印加した後に、透過応答電圧以下の低電圧を透明電極板間に印加し続けることによって、電界配列粒子１６の凝集、沈降を防止することができ、電界配列効果（図６Ｂ）を、より確実に維持できる。
【０１２４】
すなわち、本実施形態に係る光透過調整装置２ｃは、電界配列効果のメモリ機能を、従来より小さい消費電力で実現することができる。
【０１２５】
なお、本発明は、上述した実施形態に限定されるものではなく、本発明の範囲内で種々に改変することができる。
【０１２６】
上述の実施形態では、図３Ｃに示すように、正方形状のスペーサー１０の内側に複数のカプセル６を配置したが、スペーサー１０は、一対の透明電極板の面方向に対して、格子状に配置されていることが好ましい。各格子の内側に、単数あるいは複数のカプセル６を配置させることによって、透明電極板間に電界配列粒子６を均一に配置させることができる。その結果、光透過表示装置２における光透過率の斑を防止することができる。この場合も、上述の実施形態と同様の作用効果を奏することができる。
【０１２７】
また、上述の実施形態においては、透明電極板（第１電極板４Ａおよび第２電極板４Ｂ）がそれぞれフィルム１２Ａ、フィルム１２Ｂを有したが、フィルム１２Ａ、フィルム１２Ｂの代わりに、ガラス板を用いても良い。この場合も、上述の実施形態と同様の作用効果を奏することができる。
【０１２８】
また、上述の実施形態においては、第１電極板４Ａおよび第２電極板４Ｂの双方が透明であったが、いずれかの電極板が有色（不透明）であってもよい。あるいは、いずれかの電極板に文字、画像等が直接表示されていてもよい。この場合においても、上述の実施形態と同様の作用効果を奏することができる。
【０１２９】
また、図１Ａ、１Ｂに示す第１電極板４Ａの表面のうち、透明電極膜１４Ａとは反対側の表面に、透光性のカラーフィルターを設置し、第２電極板４Ｂの側から第１電極板４Ａの側へバックライトを照射することによって、図１Ａの光透過調整装置２を用いた表示装置を実現することができる。この表示装置の場合、各カラーフィルターを、各カプセル６に対応する位置に設置することによって、カプセル６を一つの画素とするカラー表示装置を形成することができる。この場合も上述した実施形態と同様の作用効果を奏することができる。なお、スペーサー１０で囲まれた各区画内に配置された複数のカプセル６を、一つの画素単位としてもよい。
【０１３０】
また、図１Ａ、１Ｂに示す透明電極膜１４Ａを、縦に走る複数の線状電極１４Ａとし、透明電極膜１４Ｂを、横に走る複数の線状電極１４Ｂとしてもよい。この場合、各線状電極１４Ａと各線状電極１４Ｂとが交差する各格子点において、両線電極間に電圧を印加することができる。すなわち、線状電極１４Ａと線状電極１４Ｂとが交差する各格子点を一つの画素とする表示装置を形成することができる。すなわち、線状電極１４Ａと線状電極１４Ｂとが交差する各格子点においてのみ、光透過率を調整できる表示装置を実現することができる。この表示装置においては、１本の線状電極１４Ａと１本の線状電極１４Ｂとの組み合わせが、１つの格子点（画素）に対応する。よって、一組の線状電極１４Ａおよび線状電極１４Ｂの間おいてのみ電圧を印加することによって、１つの格子点（画素）においてのみ光透過率を制御することができる。
【０１３１】
また、本発明に係る光透過調整装置２、および光透過調整装置２を有する表示装置は、上述の実施形態以外にも、他の用途としても使用されることが可能である。
【０１３２】
例えば、光透過調整装置２は、防犯機能付き遮光ガラス窓等の防犯装置として使用することができる。この防犯装置において、透明電極板間に低電圧が印加され、透明電極板間の光透過率が小さい状態にあるとき、透明電極板が破壊されると、透明電極板間の電圧が変化する。この電圧変化を検知することによって、透明電極板の破壊（犯罪発生）を検知できる。
【０１３３】
光透過調整装置２のその他の用途として、例えば、玩具としての表示装置として用いることができる。また、ガラス窓、床材、壁、ビニールハウス、２重サッシ等の建材として用いることもできる。これらの建材においては、光透過率、あるいは建材の色を自在に調整することができる。また、ブラインド、カーテン、および遮光フィルム等の遮光材として用いることもできる。また、電界配列粒子として酸化チタンを用いた場合、紫外線カット用フィルムとしても用いることができる。また、社員章として用いることもできる。
【０１３４】
また、本発明では、光透過調整装置２および表示装置１の製造方法は、特に限定されない。
【実施例】
【０１３５】
以下、本発明を、さらに詳細な実施例に基づき説明するが、本発明は、これら実施例に限定されない。
【０１３６】
実施例１
図６Ａ，６Ｂに示す実施例１の光透過調整装置２ｃ（電極板４Ａ，４Ｂの間に、アクリル樹脂を有する光透過調整装置２ｃ）を作製した。この光透過調整装置２ｃの電極板間に、透過応答電圧１２５Ｖ（電界：１．２５ＫＶ／ｍｍ）を印加して、電極板間の光透過率を最大とした。次に、電極板間に印加する電圧をゼロし、電極板間の光透過率が最大である状態が維持されるか否か（メモリ機能の有無）を調べた。結果を表１に示す。
【０１３７】
なお、電極板間に印加する電圧をゼロしてから、電極板間の光透過率が最大である状態が６００秒以上維持された場合、表１において、「メモリ機能有り」とした。また、光透過率が最大である状態を維持できた時間が６００秒未満であった場合、表１において、「メモリ機能無し」とした。
【０１３８】
【表１】
2008107740.tif 000003
【０１３９】
実施例２
実施例１と同様の光透過調整装置２ｃの電極板間に、電圧５０Ｖ（電界：０．０５ＫＶ／ｍｍ）を印加して、電極板間の光透過率が最小値と最大値との中間である状態を実現した。次に、電極板間に印加する電圧をゼロし、電極板間の光透過率が中間である状態が維持されるか否かを調べた。結果を表１に示す。
【０１４０】
なお、電極板間に印加する電圧をゼロしてから、電極板間の光透過率が中間である状態が６００秒以上維持された場合、表１において、「メモリ機能有り」とした。また、光透過率が中間である状態を維持できた時間が６００秒未満であった場合、表１において、「メモリ機能無し」とした。
【０１４１】
比較例１
電極板４Ａ，４Ｂの間にアクリル樹脂を有さないこと以外は、実施例１と同様の光透過装置２ｄを作製した。次に、実施例１と同様の方法で、メモリ機能の有無）を調べた。結果を表１に示す。
【０１４２】
評価
表１に示すように、実施例１、２においては、光透過調整装置２ｃが電極板間にアクリル樹脂を有する結果、いずれの光透過率の場合であっても、光透過装置２ｃがメモリ機能を有することが確認された。
【０１４３】
一方、比較例１においては、光透過調整装置２ｄが電極板間にアクリル樹脂を有さない結果、光透過装置２ｄがメモリ機能を有さないことが確認された。
【図面の簡単な説明】
【０１４４】
【図１Ａ】図１Ａは、本発明の第１実施形態に係る光透過調整装置を示す図であって、光透過調整装置を透明電極板に対して垂直方向に切断した要部断面図である。
【図１Ｂ】図１Ｂは、本発明の第１実施形態に係る光透過調整装置を示す図であって、光透過調整装置を透明電極板に対して垂直方向に切断した要部断面図である。
【図２Ａ】図２Ａは、本発明の第１実施形態に係る光透過調整装置において、電界配列粒子が電界配列している状態を示す概略図である。
【図２Ｂ】図２Ｂは、本発明の第１実施形態に係る光透過調整装置において、電界配列粒子が電界配列している状態を示す概略図である。
【図３Ａ】図３Ａは、本願発明の第１実施形態に係る光透過調整装置の有するカプセルを、一対の透明電極板で挟む工程（加圧貼り合わせ工程）を示す概略図である。
【図３Ｂ】図３Ｂは、本願発明の第１実施形態に係る光透過調整装置の有するカプセルを、一対の透明電極板で挟む工程（貼り合わせ工程）を示す概略図である。
【図３Ｃ】図３Ｃは、本願発明の第１実施形態に係る光透過調整装置の有するカプセルを、一対の透明電極板で挟む工程（貼り合わせ工程）を示す概略図である。
【図４】図４は、本願発明の第１実施形態に係る表示装置を示す図であって、表示装置を透明電極板に対して垂直方向に切断した概略断面図である。
【図５】図５は、本願発明の第２実施形態に係る光透過調整装置（兼、表示装置）を示す概略図である。
【図６Ａ】図６Ａは、本発明の第３実施形態に係る光透過調整装置を示す図であって、光透過調整装置を透明電極板に対して垂直方向に切断した要部断面図である。
【図６Ｂ】図６Ｂは、本発明の第３実施形態に係る光透過調整装置を示す図であって、光透過調整装置を透明電極板に対して垂直方向に切断した要部断面図である。
【符号の説明】
【０１４５】
１…  表示装置
２…  光透過調整装置
４Ａ…  第１電極板（透明電極板）
４Ｂ…  第２電極板（透明電極板）
６…  カプセル
８…  電極間樹脂
１６…  電界配列粒子
１８…  非極性溶媒
５８…  透光性皮膜
【図１Ａ】
2008107740.tif 000004
【図１Ｂ】
2008107740.tif 000005
【図２Ａ】
2008107740.tif 000006
【図２Ｂ】
2008107740.tif 000007
【図３Ａ】
2008107740.tif 000008
【図３Ｂ】
2008107740.tif 000009
【図３Ｃ】
2008107740.tif 000010
【図４】
2008107740.tif 000011
【図５】
2008107740.tif 000012
【図６Ａ】
2008107740.tif 000013
【図６Ｂ】
2008107740.tif 000014